(57)【特許請求の範囲】
【請求項１】
複数のシートを針を用いて綴じる第１の綴じ処理を行う第１の綴じ手段と、複数のシートを針を用いずに綴じる第２の綴じ処理を行う第２の綴じ手段を制御する印刷制御装置であって、
印刷ジョブに基づき複数のシートに画像を印刷する印刷手段と、
前記印刷ジョブに対して前記第１の綴じ処理が指定されている場合に、試し印刷で印刷された複数のシートに対しては前記第２の綴じ処理を前記第２の綴じ手段に行わせ、試し印刷の後に印刷された複数のシートに対しては前記第１の綴じ処理を前記第１の綴じ手段に行わせる制御手段と、
を備えることを特徴とする印刷制御装置。
【請求項２】
試し印刷で印刷された複数のシートに対して、前記第２の綴じ処理を行うか前記第１の綴じ処理を行うかをユーザの指示に従って選択する選択手段を備え、
前記制御手段は、前記選択手段によって前記第２の綴じ処理を行うことが選択された場合、試し印刷で印刷された複数のシートに対しては前記第２の綴じ処理を前記第２の綴じ手段に行わせ、前記選択手段によって前記第１の綴じ処理を行うことが選択された場合、試し印刷で印刷された複数のシートに対しても前記第１の綴じ処理を前記第１の綴じ手段に行わせることを特徴とする請求項１記載の印刷制御装置。
【請求項３】
試し印刷で印刷される複数のシートに対して、前記第２の綴じ処理を行うか前記第１の綴じ処理を行うかをあらかじめ登録する登録手段を備え、
前記制御手段は、前記登録手段によって前記第２の綴じ処理が登録されている場合、試し印刷で印刷された複数のシートに対しては前記第２の綴じ処理を前記第２の綴じ手段に行わせ、前記登録手段によって前記第１の綴じ処理が登録されている場合、試し印刷で印刷された複数のシートに対しても前記第１の綴じ処理を前記第１の綴じ手段に行わせることを特徴とする請求項１記載の印刷制御装置。
【請求項４】
複数のシートを針を用いて綴じる第１の綴じ処理を行う第１の綴じ手段と、複数のシートを針を用いずに綴じる第２の綴じ処理を行う第２の綴じ手段を制御する印刷制御装置の制御方法であって、
印刷ジョブに基づき複数のシートに画像を印刷する印刷工程と、
前記印刷ジョブに対して前記第１の綴じ処理が指定されている場合に、試し印刷で印刷された複数のシートに対しては前記第２の綴じ処理を前記第２の綴じ手段に行わせ、試し印刷の後に印刷された複数のシートに対しては前記第１の綴じ処理を前記第１の綴じ手段に行わせる制御工程と、
を備えることを特徴とする印刷制御装置の制御方法。
【請求項５】
請求項４に記載の印刷制御装置の制御方法をコンピュータに実行させることを特徴とするプログラム。
【発明の詳細な説明】
【技術分野】
【０００１】
本発明は、複数のシートを綴じる綴じ処理を制御する印刷制御装置、印刷制御装置の制御方法、及びプログラム関するものである。
【背景技術】
【０００２】
コピーやプリンタ機能をもつ画像処理装置には、出力する印刷シートを後処理するシート処理装置が付属しているものがある。このシート処理装置の持つ代表的な機能としてステイプル綴じ機能がある。ステイプル綴じ機能は金属の針金を使用してシートを綴じる機能である。
ステイプル綴じされた印刷物は部ごとに取り扱いやすいため、複数ページの出力物を扱う際に広く使用されている。
このため、コピーやプリンタ機能をもつ画像処理装置には、出力する印刷紙を後処理するシート処理機能が付属しているものがある。このシート処理機能としてステイプル綴じ機能がある。ステイプル綴じ機能は、通常金属の針金を使用してシート束（印刷物）を綴じる機能である。ステイプル綴じされた印刷物は、部ごとに取り扱いやすいため、複数ページの印刷物を扱う際に広く使用されている。
【０００３】
しかし、最近では金属針を使用している面から環境への配慮が行われ、針を使用しない綴じ方法が考案されている。例えば綴じる一組の印刷シートの一部をまとめてくりぬくように切り取り、その切り先を織り込んで綴じる方法が考案されている（下記特許文献１参照）。
【０００４】
複数部の印刷を行う場合に、1部だけを印刷し、ユーザがその印刷結果の出来栄えを確認することができる技術で、試し印刷という機能がある。この試し印刷の機能に関する技術として、試し印刷時に、印刷に用いる用紙に特殊紙が含まれている場合に、用いる用紙をすべて普通紙に変更して出力する技術や、他の技術として、試し印刷するページ数を指定し、指定したページ分だけ印刷を行う技術が知られている(下記特許文献2参照)。
【先行技術文献】
【特許文献】
【０００５】
【特許文献１】特開平８−３００８４７号公報
【特許文献２】特開２００８−２４５３２２号公報
【発明の概要】
【発明が解決しようとする課題】
【０００６】
従来の画像処理装置は上記のように構成されているので、前述した試し印刷の機能を使用して、ユーザがステイプル綴じした印刷結果の出来栄えを確認する時に、ユーザが所望している印刷結果が即座に得られず、試し印刷の機能を繰り返し実施するケースがある。このようなケースでは、出力した印刷結果は、毎回ステイプル針で綴じられてしまい、ステイプル針を無駄に消耗する。それだけでなく、このステイプル針で綴じられた印刷結果を廃棄する際には、ステイプル針を印刷結果から取り除く手間が生じ、ユーザの手を煩わせるデメリットもある。
【０００７】
本発明は、上記の課題を解決するためになされたもので、本発明の目的は、試し印刷では、針を使用する綴じ処理を使用せずに、針無しの綴じ処理を実行することで、針の使用量を節減するとともに、試し印刷の印刷結果から針を取り除く手間を生じさせない仕組みを提供することである。
【課題を解決するための手段】
【０００８】
上記目的を達成する本発明の印刷制御装置は以下に示す構成を備える。
複数のシートを針を用いて綴じる第１の綴じ処理を行う第１の綴じ手段と、複数のシートを針を用いずに綴じる第２の綴じ処理を行う第２の綴じ手段を制御する印刷制御装置であって、印刷ジョブに基づき複数のシートに画像を印刷する印刷手段と、前記印刷ジョブに対して前記第１の綴じ処理が指定されている場合に、試し印刷で印刷された複数のシートに対しては前記第２の綴じ処理を前記第２の綴じ手段に行わせ、試し印刷の後に印刷された複数のシートに対しては前記第１の綴じ処理を前記第１の綴じ手段に行わせる制御手段と、を備えることを特徴とする。
【発明の効果】
【０００９】
本発明によれば、試し印刷では、針を使用する綴じ処理を使用せずに、針無しの綴じ処理を実行することで、針の使用量を節減するとともに、試し印刷の印刷結果から針を取り除く手間を生じさせないようにする。
【図面の簡単な説明】
【００１０】
【図１】印刷制御装置を適用する画像処理装置の構成を説明するブロック図である。
【図２】シート処理部の構成例を示す断面図である。
【図３】各綴じ部との配置および綴じ作業域を示す図である。
【図４】図２に示した第２の綴じ部の綴じ処理を説明する断面図である。
【図５】図２に示した第２の綴じ部の綴じ処理動作を説明する断面図である。
【図６】図２に示した第２の綴じ部の綴じ処理動作を説明する断面図である。
【図７】印刷制御装置の制御方法を説明するフローチャートである。
【図８】印刷制御装置の制御方法を説明するフローチャートである。
【図９】印刷制御装置の制御方法を説明するフローチャートである。
【図１０】印刷制御装置の制御方法を説明するフローチャートである。
【図１１】本実施形態を示す印刷制御装置で表示可能なＵＩ画面を示す図である。
【図１２】本実施形態を示す印刷制御装置で表示可能なＵＩ画面を示す図である。
【発明を実施するための形態】
【００１１】
次に本発明を実施するための最良の形態について図面を参照して説明する。
＜システム構成の説明＞
〔第１実施形態〕
【００１２】
図１は、本実施形態を示す印刷制御装置を適用する画像処理装置の構成を説明するブロック図である。本例は、画像を読み取る読み取り機能と、画像をシートに印刷する印刷機能とを備える画像処理装置に、シート後処理を行うシート処理部を接続可能に構成されている場合を示す。
【００１３】
図１において、ＣＰＵ１０１は、システムの制御部であり、装置全体を制御する。ＲＯＭ１０２は、ＣＰＵ１０１の制御プログラムを格納する。ＳＲＡＭ１０３は、オペレータが登録した設定値や装置の管理データ等や各種ワーク用バッファ等を格納する。ＳＲＡＭ１０３は、電池によりバックアップされており、装置の電源を切っても記憶内容が消えない不揮発性のＳＲＡＭである。また、ＳＲＡＭ１０３は、読み取られた画像データもここに格納する。また、後述するユーザにより登録された綴じ処理に関わる情報もＳＲＡＭ１０３に登録されて、後述するフローチャートの制御においてＣＰＵ１０１により参照される。
【００１４】
ＤＲＡＭ１０４は、プログラム制御変数等を格納するためのものである。操作部１０５は機器内の情報を表示するユーザとのインタフェース部で、後述するユーザインタフェース画面を表示可能に構成されている。読み取り部１０６は画像データを読み取り、バイナリデータに変換する装置でありこれを用いて画像送信機能の原稿読み取りを行なう。記録部１０７は画像データをシートに印刷する。画像処理部１０８は、画像送信機能で扱う画像データの符号化復号化処理を行う。それぞれの制御部はデータバス１１０を介して繋がっており、画像データはデータバス１１０を通じて転送される。
また、記録部１０７はシート処理部１０９に接続されており、記録部１０７で印刷されたシートはシート処理部に送られる。シート処理部１０９は入力されたシートを揃えたり、出力トレイを切り替えたり、複数のシートを綴じる綴じ処理を行ったりする、後処理を行う箇所である。なお、本実施形態では、針を使用して綴じるものを第１の綴じ処理とし、針を使用しないで綴じるものを第２の綴じ処理として区別して説明する。
【００１５】
このように構成された画像処理装置において、読み取り部１０６から原稿画像を読み取ってバイナリデータに変換し、読み取った画像データをＳＲＡＭ１０３に一端格納する。画像処理部１０８で前記格納された画像データを変換してから記録部１０７でシートに印刷し、シート処理部１０９で後処理を行う印刷制御を例として動作を説明する。
【００１６】
図２は、図１に示したシート処理部１０９に関してさらに詳細を示したシート処理部の構成例を示す断面図である。本例は、画像処理装置のシート処理装置の筐体内部に設置されている例である。
【００１７】
なお、印刷処理を実行するエンジン部を備える記録部１０７については省略するが、シート処理部は画像処理装置本体部に接続されて使用される態様である。また、接続態様は、インライン方式とそれ以外の方式とがあるが本発明の適用に制限はない。
【００１８】
図２において、２０１はシート処理装置で、シート処理装置２０１は記録部１０７と接続されて使用される。記録部１０７からは搬送ローラ２０４を通してシートが送られてくる。２０５は両面印刷時にシートを反転させるための搬送ローラであり、反転時にはここを通って記録部１０７に再度入って裏面の印刷を行う。その場合も搬送ローラ２０４を通ってシート処理装置２０１に出力シートが送られる。
シート処理装置２０１では出力シートを揃えたり、移動したりする機能があるが、ここでは綴じ機能について注目する。
【００１９】
２０２はステイプラであり、ステイプル針のような金属針を使用してシートを綴じる機能を持つ第１の綴じ部である。２０３は、針を使用しないでシートを綴じる綴じ機能を提供する第２の綴じ部である。針を使用しない綴じの方法としては前記のとおり多数あるが、ここではシートの厚さ方向の上下から圧力をかける加圧力でシートを密着し綴じる方式の物を搭載している例とする。
【００２０】
このようにシート処理装置２０１に第１の綴じ部２０２と第２の綴じ部２０３が併設されているようなシート処理装置を例として挙げる。
【００２１】
なお、針無しの綴じ機能を使用する場合、前述の通りシートに加工する箇所を、針を使うステイプル綴じに比べて大きく確保する必要がある。
【００２２】
図３は、図２に示した第１の綴じ部と第２の綴じ部との配置および綴じ作業域を示す図である。
【００２３】
図３において、３０１は綴じる際のシートを示し、第１の綴じ部２０２がスタンバイ位置に停止している状態を示す。実際にシートを綴じる際、第１の綴じ部２０２は、スタンバイ位置から矢印で示す綴じ位置３０２に移動してシートを綴じる構成となっている。なお、綴じ部を移動する機構は省略するが、その移動等はＣＰＵ１０１の指示にしたがって制御される。
【００２４】
同様に、針を使用しない第２の綴じ部２０３も通常は、スタンバイ位置に停止して、実際にシートを綴じる際、スタンバイ位置から綴じ位置３０３に移動してシートを綴じる構成となっている。すなわち、いろいろな綴じ方に応じて図１に示したＣＰＵ１０１の制御によって第１の綴じ部２０２と第２の綴じ部２０３とは可動可能となっている。
【００２５】
図４は、図２に示した第２の綴じ部の綴じ処理を説明する断面図である。ここではシートの厚さ方向の上下から圧力をかける加圧力でシートを密着し綴じる方法で説明する。具体的には、シートが綴じる位置にセットされ、図３で示したように綴じ位置３０３に第２の綴じ部２０３が移動した状態が図４の（ａ）に対応する。
【００２６】
図４において、４０１は上金型で、シートを圧力で押さえ付ける。上金型４０１には複数の凸形状の刃が付いており複数個所加圧することですぐにははがれないようにしている。４０５は下金型で、シートを圧力で押さえ付ける。下金型４０５にも上金型４０１の複数の凸部４０２に対応した凹部４０４があり上金型４０１の刃を受けるようになっている。上金型４０１と下金型４０５で出力シート束４０３を図４の（ｂ）に示すように上下方向から加圧（図示しない加圧機構による）して押さえることで、シートを綴じることが可能となっている。綴じた後の出力シート束４０３の断面は、図５に示すようになる。綴じたシートを上から見ると、綴じ位置６０１は図６のようになる。
本実施形態では、図６の綴じ位置６０１の黒い部分が加圧されて、つぶれたシートの部分となる。なお、加圧して綴じるためこの方法では現状綴じる枚数が限られている。
また、１回の綴じでは綴じる力が弱いこともあり、２度綴じなどが行えるようになっている。
【００２７】
以下で、上記システム装置を使用した本実施形態における画像処理装置１００のお試し印刷処理を図７のフローチャートを用いて説明する。なお本フローに係るプログラムは、プログラムＲＯＭ１０２に記憶されており、ＤＲＡＭ１０４に読み出されＣＰＵ１０１によって実行される。
【００２８】
図７は、本実施形態を示す印刷制御装置の制御方法を説明するフローチャートである。
本例は、画像処理装置１００にて、ユーザが試し印刷を指定し、かつ、針有りの綴じ処理を指定した場合に、試し印刷の出力物の綴じ処理を、針有りの綴じ処理とするか、針無しの綴じ処理とするかをユーザに選択させる処理例である。なお、各ステップは、図１のＣＰＵ１０１が、ＲＯＭ１０２に格納されている図７のフローチャートを実行するためのプログラムを実行することで実現される。
【００２９】
まず、ＣＰＵ１０１は、ユーザが操作部１０５を使用して行う印刷設定であって試し印刷の指定を含む印刷設定を受け付ける（Ｓ７０１）。ユーザが綴じ処理を指定した場合には、印刷設定は綴じ処理の指定も含む。次に、ＣＰＵ１０１は、記録部１０７、画像処理部１０８等を制御して、印刷設定を含む印刷ジョブを生成して、画像データに基づく試し印刷を実行する（Ｓ７０２）。
【００３０】
次に、ＣＰＵ１０１が、印刷設定を含む印刷ジョブを解析して、綴じ処理の指定の有無を判断する（Ｓ７０３）。ここで、印刷ジョブに綴じ処理の指定があると判断した場合、ＣＰＵ１０１は、指定された綴じ処理が針有りの綴じ処理であるか、針無しの綴じ処理であるかを判断する（Ｓ７０４）。
【００３１】
ここで、針有りの綴じ処理が設定されているとＣＰＵ１０１が判断した場合は、ＣＰＵ１０１は、試し印刷のための綴じ処理を選択するための、図１１に示すＵＩ画面を操作部１０５の表示部に表示する（Ｓ７０５）。
【００３２】
次に、ＣＰＵ１０１は、ユーザが操作部１０５に表示された図１１に示すＵＩ画面を用いて選択するボタンにより、綴じ処理の種類を受け付ける。そして、ＣＰＵ１０１は、ユーザが図１１に示すＵＩ画面において、ユーザが選択したボタンが針有りの綴じ処理を指定するボタン１１０１であるか、針無しの綴じ処理を指定するボタン１１０２であるかを判断する（Ｓ７０６）。
【００３３】
ここで、ユーザが試し印刷に対して針無しの綴じ処理を選択しているとＣＰＵ１０１が判断した場合は、ＣＰＵ１０１は、シート処理部１０９に針無しの綴じ処理を指示し、シート処理部１０９が針無しの綴じ処理を行い、試し印刷の印刷結果を出力する（Ｓ７１０）。試し印刷の印刷結果が出力された後、ユーザが印刷結果を確認する。
そして、ユーザは、図示しないＵＩ画面を用いて印刷処理を継続するか否かを選択する。ＣＰＵ１０１は、ユーザがいずれを選択したかを判断する（Ｓ７１１）。そして、Ｓ７１１で、ＣＰＵ１０１はユーザから受け付けた指示が印刷処理を継続しない指示であると判断した場合は、Ｓ７０１に戻る。
一方、Ｓ７１１で、ＣＰＵ１０１はユーザから受け付けた指示が印刷処理を継続する指示であると判断した場合は、ＣＰＵ１０１が残り部数を計算して、残り部数分の印刷を画像データに基づいて行うよう記録部１０７を制御して（Ｓ７１２）、本処理を終了する。Ｓ７１２では、Ｓ７０１で受付けた印刷設定に基づいて印刷が行われる。
ユーザがＳ７０１で針有りの綴じ処理を指定して、Ｓ７０５で針無しの綴じ処理を指定した場合には、試し印刷の印刷結果は印刷部数としてカウントされない。
【００３４】
一方、Ｓ７０６で、ユーザが選択したボタンが針有りの綴じ処理を指定するボタン１１０１であるとＣＰＵ１０１が判断した場合は、ＣＰＵ１０１は、シート処理部１０９に針有りの綴じ処理を指示し、シート処理部１０９は針有りの綴じ処理を行い、試し印刷の印刷結果を出力する（Ｓ７０９）。試し印刷の印刷結果が出力された後、ユーザが印刷結果を確認し、図示しないＵＩ画面を用いて印刷処理を継続するか否かを選択する。ＣＰＵ１０１は、ユーザがいずれを選択したかを判断する（Ｓ７１１）。ここで、ユーザから印刷処理を継続しない指示を受け付けたとＣＰＵ１０１が判断した場合は、Ｓ７０１に戻る。
一方、ユーザから印刷処理を継続する指示を受け付けたとＣＰＵ１０１が判断した場合は、ＣＰＵ１０１が残り部数を計算して、残り部数分の印刷を画像データに基づいて行うよう記録部１０７を制御する（Ｓ７１２）。
ユーザがＳ７０１で針有りの綴じ処理を指定して、Ｓ７０５でも針有りの綴じ処理を指定した場合には、試し印刷の印刷結果は印刷部数としてカウントされる。
【００３５】
一方、Ｓ７０４で、針無しの綴じ処理が設定されているとＣＰＵ１０１が判断した場合は、ＣＰＵ１０１は、シート処理部１０９に針無しの綴じ処理を指示し、シート処理部１０９は針無しの綴じ処理を行い、試し印刷の印刷結果を出力する（Ｓ７０８）。試し印刷の印刷結果が出力された後、ユーザが印刷結果を確認する。そして、ユーザは、図示しないＵＩ画面を用いて印刷処理を継続するか否かを選択する。ＣＰＵ１０１は、ユーザがいずれを選択したかを判断する（Ｓ７１１）。ここで、ユーザから印刷処理を継続しない指示を受け付けたとＣＰＵ１０１が判断した場合は、Ｓ７０１に戻る。
一方、ユーザから印刷処理を継続する指示を受け付けたとＣＰＵ１０１が判断した場合は、ＣＰＵ１０１が残り部数を計算して、残り部数分の印刷を画像データに基づいて行うよう記録部１０７を制御する（Ｓ７１２）。
ユーザがＳ７０１で針無しの綴じ処理を指定した場合には、試し印刷の印刷結果は印刷部数としてカウントする。
【００３６】
一方、Ｓ７０３で、綴じ処理の指定が無いとＣＰＵ１０１が判断した場合、ＣＰＵ１０１は、そのまま印刷結果を出力するようシート処理部１０９に指示し、シート処理部１０９は綴じ処理を行うことなく試し印刷の印刷結果を出力する（Ｓ７０７）。そして、ユーザが試し印刷の印刷結果を確認し、図示しないＵＩ画面を用いて印刷処理を継続するか否かを選択する。ＣＰＵ１０１はユーザがいずれを選択したかを判断する（Ｓ７１１）。ここで、ユーザから印刷処理を継続しない指示を受け付けたとＣＰＵ１０１が判断した場合は、Ｓ７０１に戻る。
一方、ユーザから印刷処理を継続する指示を受け付けたとＣＰＵ１０１が判断した場合は、ＣＰＵ１０１が残り部数を計算して、残り部数分の印刷を画像データに基づいて行うよう記録部１０７を制御する（Ｓ７１２）。
これにより、画像処理装置に対して針有りの綴じ処理を実行することが設定されていた場合でも、ユーザが試し印刷では針無しの綴じ処理を望む場合は、綴じ処理を針無しの綴じ処理に切り替えることで、針を使用することなく試し印刷を行う。
図７の例では、試し印刷がＳ７０２で行われる。しかし、Ｓ７０７〜Ｓ７１０のそれぞれ、試し印刷と試し印刷の印刷結果の出力とが行われるように図７のフローチャートを変更してもよい。
〔第２実施形態〕
【００３７】
図８は、本実施形態を示す印刷制御装置の制御方法を説明するフローチャートである。
本例は、ユーザが、試し印刷のときの綴じ処理を事前に画像処理装置に登録する処理例である。なお、各ステップは、図１のＣＰＵ１０１が、ＲＯＭ１０２に格納されている図８のフローチャートを実行するためのプログラムを実行することで実現される。
【００３８】
まず、ＣＰＵ１０１は、ユーザから操作部１０５に対する指示を受け付ける。ここで、受け付けた指示が、図１２に示すＵＩ画面であって試し印刷のための綴じ処理を登録するためのＵＩ画面を表示部に呼び出す指示であると判断した場合、ＣＰＵ１０１は、図１２に示すＵＩ画面を表示部に表示する（Ｓ８０１）。
【００３９】
次に、ユーザは、表示部に表示された図１２に示すＵＩ画面でボタン１２０１、またはボタン１２０２を押下する。そして、ＣＰＵ１０１は、ユーザにより押下されたボタンに応じて、試し印刷のときの綴じ処理を登録して（Ｓ８０２）、本処理を終了する。ここで、ボタン１２０１は、針無しの綴じ処理を指示するボタンとして機能する。また、ボタン１２０２は、針有りの綴じ処理を指示するボタンとして機能する。さらに、ボタン１２０３は、指示したボタン１２０１またはボタン１２０２の内容を登録するための指示である。
【００４０】
図９は、本実施形態を示す印刷制御装置の制御方法を説明するフローチャートである。
本例は、画像処理装置１００にて、ユーザが、事前に試し印刷のときの綴じ処理を画像処理装置に登録しておき、試し印刷実施時に、その登録した綴じ処理を実行する処理例である。なお、各ステップは、図１のＣＰＵ１０１が、ＲＯＭ１０２に格納されている図９のフローチャートを実行するためのプログラムを実行することで実現される。
【００４１】
まず、ＣＰＵ１０１は、ユーザが操作部１０５を使用して行う印刷設定であって試し印刷の指定を含む印刷設定を受け付ける（Ｓ９０１）。ユーザが綴じ処理を指定した場合には、印刷設定は綴じ処理の指定も含む。次に、ＣＰＵ１０１は、記録部１０７、画像処理部１０８等を制御して、印刷設定を含む印刷ジョブを生成して、画像データに基づく試し印刷を実行する（Ｓ９０２）。
【００４２】
次に、ＣＰＵ１０１が、印刷設定を含む印刷ジョブを解析して、綴じ処理の指定の有無を判断する（Ｓ９０３）。ここで、印刷ジョブに綴じ処理の指定があると判断した場合、ＣＰＵ１０１は、指定された綴じ処理が針有りの綴じ処理であるか、針無しの綴じ処理であるかを判断する（Ｓ９０４）。
【００４３】
ここで、針有りの綴じ処理が設定されているとＣＰＵ１０１が判断した場合は、ＣＰＵ１０１は、ユーザが事前に登録した綴じ処理を参照する（Ｓ９０５）。
【００４４】
次に、ＣＰＵ１０１は、登録された綴じ処理をシート処理部１０９に指示し、シート処理部１０９は登録された綴じ処理を行い、試し印刷の印刷結果を出力して（Ｓ９０８）、Ｓ９０９へ進む。
そして、ユーザは、図示しないＵＩ画面を用いて印刷処理を継続するか、継続しないかを選択する。ＣＰＵ１０１は、ユーザがいずれを選択したかを判断する（Ｓ９０９）。そして、Ｓ９０９で、ＣＰＵ１０１はユーザから受け付けた指示が印刷処理を継続しない指示であると判断した場合は、Ｓ９０１に戻る。
一方、Ｓ９０９で、ユーザから受け付けた指示が印刷処理を継続する指示であると判断した場合は、ＣＰＵ１０１が残り部数を計算して、残り部数分の印刷を画像データに基づいて行うよう記録部１０７を制御して（Ｓ９１０）、本処理を終了する。Ｓ９１０では、Ｓ９０１で受付けた印刷設定に基づく印刷が行われる。
ユーザがＳ９０１で針有りの綴じ処理を指定して、針無しの綴じ処理がＳ８０２で登録された場合には、試し印刷の印刷結果は印刷部数としてカウントされない。
【００４５】
一方、Ｓ９０４で、針無しの綴じ処理が設定されているとＣＰＵ１０１が判断した場合は、ＣＰＵ１０１は、シート処理部１０９に針無しの綴じ処理を指示し、シート処理部１０９は針無しの綴じ処理を行い、試し印刷の印刷結果を出力する（Ｓ９０７）。試し印刷の印刷結果が出力された後、ユーザが印刷結果を確認する。そして、ユーザは、図示しないＵＩ画面を用いて印刷処理を継続するか否かを選択する。ＣＰＵ１０１は、ユーザがいずれを選択したかを判断する（Ｓ９０９）。ここで、ユーザから印刷処理を継続しない指示を受け付けたとＣＰＵ１０１が判断した場合は、Ｓ９０１に戻る。
一方、ユーザから印刷処理を継続する指示を受け付けたとＣＰＵ１０１が判断した場合は、ＣＰＵ１０１が残り部数を計算して、残り部数分の印刷を画像データに基づいて行うよう記録部１０７を制御する（Ｓ９１０）。
ユーザがＳ９０１で針無しの綴じ処理を指定した場合には、試し印刷の印刷結果は印刷部数としてカウントする。
【００４６】
一方、Ｓ９０３で、綴じ処理の指定が無いとＣＰＵ１０１が判断した場合、ＣＰＵ１０１は、そのまま印刷結果を出力するようシート処理部１０９に指示し、シート処理部１０９は綴じ処理をすることなく試し印刷の印刷結果を出力する（Ｓ９０６）。そして、ユーザが印刷結果を確認し、図示しないＵＩ画面を用いて印刷処理を継続するか否かを選択する。ＣＰＵ１０１は、ユーザがいずれを選択したかを判断する（Ｓ９０９）。ここで、ユーザから印刷処理を継続しない指示を受け付けたとＣＰＵ１０１が判断した場合は、Ｓ９０１に戻る。
一方、ユーザから印刷処理を継続する指示を受け付けたとＣＰＵ１０１が判断した場合は、ＣＰＵ１０１が残り部数を計算して、残り部数分の印刷を画像データに基づいて行うよう記録部１０７を制御する（Ｓ９０９）。
これにより、綴じ処理が印刷設定として設定されている場合は、試し印刷のときの綴じ処理の種類をユーザに問い合わせることなく、ユーザによって登録された綴じ処理を参照して、登録された綴じ処理を実行する。紙なし綴じ処理が登録されている場合には、自動的に綴じ処理を針無しの綴じ処理に切り替えることで、針を使用することなく試し印刷を行う。
〔第３実施形態〕
【００４７】
本実施形態では、ユーザが試し印刷を指定した際に、画像処理装置１００が綴じ機能の使用可否をみて、試し印刷のときの綴じ処理を決める制御について説明する。
【００４８】
図１０は、本実施形態を示す印刷制御装置の制御方法を説明するフローチャートである。
本例は、画像処理装置１００にて、ユーザが試し印刷を指定し、針有りの綴じ処理を指定した場合に、画像処理装置１００が綴じ機能の使用可否を取得し、使用可能な場合には、試し印刷のときの綴じ処理を強制的に針無しの綴じ処理に変更する処理例である。なお、各ステップは、図１のＣＰＵ１０１が、ＲＯＭ１０２に格納されている図１０のフローチャートを実行するためのプログラムを実行することで実現される。
【００４９】
まず、ＣＰＵ１０１は、ユーザが操作部１０５を使用して行う印刷設定であって試し印刷の指定を含む印刷設定を受け付ける（Ｓ１００１）。ユーザが綴じ処理を指定した場合には、印刷設定は綴じ処理の指定も含む。次に、ＣＰＵ１０１は、記録部、画像処理部１０８等を制御して、印刷設定を含む印刷ジョブを生成して、画像データに基づく試し印刷を実行する（Ｓ１００２）。
【００５０】
次に、ＣＰＵ１０１が、印刷設定を含む印刷ジョブを解析して、綴じ処理の指定の有無を判断する（Ｓ１００３）。ここで、印刷ジョブに綴じ処理の指定があると判断した場合、ＣＰＵ１０１は、指定された綴じ処理が針有りの綴じ処理であるか、針無しの綴じ処理であるかを判断する（Ｓ１００４）。
【００５１】
ここで、針有りの綴じ処理が設定されているとＣＰＵ１０１が判断した場合は、ＣＰＵ１０１は、画像処理装置１００の針無しの綴じ機能の使用可否を判断する（Ｓ１００５）。ここで、針無しの綴じ機能が使用可能であるとＣＰＵ１０１が判断した場合、ＣＰＵ１０１がシート処理部１０９に針無しの綴じ処理を指示し、シート処理部１０９は針無しの綴じ処理を行い、試し印刷の印刷結果を出力して（Ｓ１００９）、Ｓ１０１０へ進む。
一方、針無しの綴じ機能を使用できないとＣＰＵ１０１が判断した場合、ＣＰＵ１０１が針有りの綴じ処理をシート処理部１０９に指示し、シート処理部１０９は針有りの綴じ処理を行い、試し印刷の印刷結果を出力して（Ｓ１００８）、Ｓ１０１０へ進む。
【００５２】
そして、ユーザは、図示しないＵＩ画面を用いて印刷処理を継続するか、継続しないかを選択する。ＣＰＵ１０１は、ユーザがいずれを選択したかを判断する（Ｓ１０１０）。そして、Ｓ１０１０で、ＣＰＵ１０１はユーザから受け付けた指示が印刷処理を継続しない指示であると判断した場合は、Ｓ１００１に戻る。
一方、Ｓ１０１０で、ユーザから受け付けた指示が印刷処理を継続する指示であると判断した場合は、ＣＰＵ１０１が残り部数を計算して、残り部数分の印刷を画像データにっ基づいて行うよう記録部１０７を制御して（Ｓ１０１１）、本処理を終了する。
ユーザがＳ１００１で針有りの綴じ処理を指定して、針無しの綴じ機能が使用可能である場合には、試し印刷の印刷結果は印刷部数としてカウントされない。ユーザがＳ１００１で針有りの綴じ処理を指定して、針無しの綴じ機能が使用できない場合には、試し印刷の印刷結果は印刷部数としてカウントされる。
【００５３】
一方、Ｓ１００４で、針無しの綴じ処理が設定されているとＣＰＵ１０１が判断した場合は、ＣＰＵ１０１は、針無しの綴じ処理をシート処理部１０９に指示し、シート処理部１０９は針無しの綴じ処理を行い、試し印刷の印刷結果を出力する（Ｓ１００７）。試し印刷の印刷結果が出力された後、ユーザが印刷結果を確認する。そして、ユーザは、図示しないＵＩ画面を用いて印刷処理を継続するか否かを選択する。ＣＰＵ１０１は、ユーザがいずれを選択したかを判断する（Ｓ１０１０）。ここで、ユーザから印刷処理を継続しない指示を受け付けたとＣＰＵ１０１が判断した場合は、Ｓ１００１に戻る。
一方、ユーザから印刷処理を継続する指示を受け付けたとＣＰＵ１０１が判断した場合は、ＣＰＵ１０１が残り部数を計算して、残り部数分の印刷を画像データに基づいて行うよう記録部１０７を制御する（Ｓ１０１１）。
ユーザがＳ１００１で針無しの綴じ処理を指定した場合には、試し印刷の印刷結果は印刷部数としてカウントされる。
【００５４】
一方、Ｓ１００３で、綴じ処理の指定が無いとＣＰＵ１０１が判断した場合、ＣＰＵ１０１は、そのまま印刷結果を出力するようシート処理部１０９に指示し、シート処理部１０９は綴じ処理をすることなく試し印刷の印刷結果を出力する（Ｓ１００６）。そして、お試し印刷が出力された後、ユーザが印刷結果を確認し、図示しないＵＩ画面を用いて印刷処理を継続するか否かを選択する。ＣＰＵ１０１は、ユーザがいずれを選択したかを判断する（Ｓ１０１０）。ここで、ユーザから印刷処理を継続しない指示を受け付けたとＣＰＵ１０１が判断した場合は、Ｓ１００１に戻る。
一方、ユーザから印刷処理を継続する指示を受け付けたとＣＰＵ１０１が判断した場合は、ＣＰＵ１０１が残り部数を計算して、残り部数分の印刷を行うよう記録部１０７を制御する（Ｓ１０１１）。
これにより、画像処理装置に対して針有り綴じ処理を実行することが設定されていた場合でも、針無し綴じ処理が実行可能であれば、自動的に綴じ処理を針無し綴じ処理に切り替えることで、針を使用することなく綴じ処理を実現できる。
なお、本実施形態では、印刷ジョブは、読み取り部１０６が読み取る画像データから生成される例を示したが、図１に示すネットワーク１１２を介してデータ処理装置と通信インタフェース１１１を用いて通信する画像処理装置にも本発明を適用可能である。その場合は、ネットワーク１１２を介してデータ処理装置と通信して試しモードが設定された印刷ジョブを受信する。その際に、必要に応じてデータ処理装置のユーザに試し印刷モードで針無し綴じ処理を選択するかどうかのＵＩ画面を提供して、データ処理装置側のユーザによる指示を印刷ジョブの処理に反映させてもよい。
また、データ処理装置が提供する印刷ジョブの設定画面において、綴じ処理手段の機能としてユーザから指定された試し印刷モード時の綴じ処理を受け付けて登録できるように構成してもよい。
【００５５】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００５６】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００５７】
１０１  ＣＰＵ
１０５  操作部
【図１】
0005896778.tif 000002
【図２】
0005896778.tif 000003
【図３】
0005896778.tif 000004
【図４】
0005896778.tif 000005
【図５】
0005896778.tif 000006
【図６】
0005896778.tif 000007
【図７】
0005896778.tif 000008
【図８】
0005896778.tif 000009
【図９】
0005896778.tif 000010
【図１０】
0005896778.tif 000011
【図１１】
0005896778.tif 000012
【図１２】
0005896778.tif 000013